(57)【特許請求の範囲】
【請求項１】
墓石等の石積み建造物に対して、２枚の金属板を用い、金属板の裏面には吸震材料を取付け、２枚の金属板の表面をワイヤーや鎖等によって接続連結して構成する倒壊防止金物を、接着剤によりひとつの金属板の吸震材料を石塔（竿石）の平滑面に取付け、他方の金属板の吸震材料を下段の石材の平滑面に取付けることにより、墓石等の石材同士を適宜連結固定して耐震化を図ることを特徴とする、接着式倒壊防止金物による墓石等の倒壊防止構造。
【発明の詳細な説明】
【技術分野】
【０００１】  本願発明は、主に墓石等の石積み建造物の耐震化や倒壊防止技術に係る発明である。
【背景技術】
【０００２】（耐震技術）
現在考え出されている墓石等の耐震装置や工法等の技術は、複数の石材により構成される墓石等に支持材を貫通させて、複数の石材の結合を強めることにより、墓石等の耐震性を向上させようとするものがほとんどである。（特許文献１参照）【０００３】（免震技術）
また、墓石等の免震装置や工法等の技術は、複数の石材により構成される墓石等の各層の間に免震材料を設置し、地震の震動を減衰させて、墓石等の倒壊の防止を計るものが多い。（特許文献２参照）
【先行技術文献】
【０００４】
【特許文献】
【特許文献】  １．特開平１０−３７５３２  ２．特開２００９−４１２０２
【発明の概要】
【発明が解決しようとする課題】
【０００５】  平成２３年３月１１日に発生した東日本大震災や、その後に発生した震度６以上の長野県北部の地震、静岡県富士山麓での地震においても、多数の墓石等の倒壊や破壊が発生してしまった。
墓石等の耐震化等は、２０年以上前から考案されたり発明されたりしているが、いまだに大地震が発生する度に多くの墓石等の倒壊や破壊がみられる。
墓石等の倒壊や破壊が直接人命の損失に結びつくことは稀かもしれないが、所有者の心理的ダメージや経済的損失は、多大であるといっても過言ではない。【０００６】  数々の耐震化や免震化の考案や発明がなされているにもかかわらず、大地震の度に、いまだ多くの墓石等の倒壊や破壊が発生する理由は何か。
それは当該考案や発明が、墓石等を新設する際に施工する必要があったり、既存の墓石等には対応できなかったり、既存の墓石等を耐震化・免震化するためには多大な工事費を必要とするためである。
いずれの技術も石材業者等に依頼するほかないことが、普及を妨げている大きな理由である。
【課題を解決するための手段】
【０００７】  これらに対し本願発明は、墓所等の所有者が石材業者等に施工を依頼するのではなく、個人が安価で尚且つ簡単に、その所有する墓石等の耐震化を向上させる方法と施工技術を提供するものである。【０００８】  墓石等の耐震化又は免震化の最大の障害となっているのは、墓石等の重量である。墓石等を新設する際の耐震化・免震化は、石材業者に依頼すればよいが、既存の墓石等を所有者が個人で耐震化・免震化するためには、石材を持ち上げたり再加工したりせずに、施工を実現できるほうほうが必要である。【０００９】  墓石等が倒壊する事例を検証すると、最も多いものが上部にある石塔（竿石）部分の倒壊である。この部分は重量も重く縦長な形状であるため、石単体の重心の位置も高く下段の台座の石材に接地する面積も小さいために、地震による振動の影響を大きく受け倒壊する。【００１０】  本願発明では、この石塔（竿石）と石塔（竿石）の載る台座の石材とを、吸震性を有するゴム等を取付けたＬ型の金物を、接着剤を用いて接続固定する。（図１・図４参照）
この方法であれば、既存の墓石等であっても、石材を移動したり再加工したりしないので、所有者が個人で容易かつ安価に耐震性を向上させることが可能である。
もちろん、金物に使用する金属、吸震性を有するゴム等に対候性が要求せれることは言うまでもない。接着剤においても、吸震材と石材の異種間での接着力と対候性の両方の性能を満たす必要がある。【００１１】  また、本願発明のＬ型金物は、吸震材料を介して石材と接合しているので、２つの石材を一体化させて重心を下げ、石塔（竿石）の安定性を向上させるとともに、吸震材料が地震の震動を減衰させ、墓石等の倒壊を防止することができる。【００１２】  しかしながら、墓石等の形には定形というものは無く、宗教・時代・地域・意匠等により様々な形のものが存在する。石塔（竿石）に脚部があり、これにより台座の石材の上に設置されているもの、または、石塔（竿石）部分が設置されている台座自体が意匠的であったりすることも少なくない。（図３参照）【００１３】  前述したＬ型金物では対応不可能な様々な形の墓石等に対応する方法として、２つの金物をワイヤーや鎖等で接続した倒壊防止金物（図５参照）も提供する。この倒壊防止金物であれば、石塔（竿石）の下部に脚が加工されていても、石塔（竿石）の設置されている台座が意匠的なものであっても、さらに下段にある上石や中石の平滑面と、石塔（竿石）に接着固定した金物と接続されたもう一方の金物を、接着固定することで耐震化の向上を計ることが可能である。
上記２種類の金物で、国内にあるほぼ全ての墓石等に対応することが可能であり、汎用性が非常に高い。
【発明の効果】
【００１４】  本願発明のＬ型並びにワイヤー連結型の接着式倒壊防止金物を提供することにより、あらゆる形の墓石等に対し、その所有者が自ら所有する墓石等に合わせて、適合する金物の型や個数を遷択して、自ら施工することが可能となる。
また、石材業者に工事を依頼する必要がないので、安価である。これにより墓石等の耐震化率を飛躍的に向上させることを期待できる。墓石等の所有者の経済的負担も損失も軽減できる。【００１５】  本願発明の接着式倒壊防止金物は、墓石だけではなく石碑や石仏・石灯籠等の倒壊防止に応用することも可能である。
【図面の簡単な説明】
【００１６】
【図１】  一般的な墓石の正面図とＬ型接着式倒壊防止金物の取付け例
【図２】  台形墓石の側面図とＬ型接着式倒壊防止金物の取付け例
【図３】  意匠的な台座とワイヤー連結型接着式倒壊防止金物の取付け例
【図４】  Ｌ型接着式倒壊防止金物側面図
【図５】  ワイヤー連結型接着式倒壊防止金物側面図
【発明を実施するための形態】
【００１７】  Ｌ型金物に吸震材料を取付けた製品を製造し、吸震材料と石材を接着固定するのに最適な接着剤を、一つの金物を接着するのに必要かつ十分な量をセットにして、販売する。ワイヤー連結型接着式倒壊防止金物も同様に製造販売する。
【００１８】  石材には様々な種類の石が使用されているため、白色・灰色・黒色等の着色を金物の金属部分にほどこせば、金物自体を目立たせなくすることも可能である。
または、金物に金メッキ等をほどこし、意匠的に使用することも可能である。
【００１９】  さらに、Ｌ型やワイヤー連結型の金物の大きさや形、ワイヤーの長さ等の種類を変えたものを用意することで、あらゆる選択肢に対応することができる。
これにより、個人がいつでもどこでも自由に、自分の所有する墓石等に合わせて金物の型や種類、個数や組み合わせ、意匠等を選択して施工することが可能になる。
【符号の説明】
【００２０】１    石塔（竿石）
２    台座
３    上台又は中台
４    台形墓石
５    意匠的な台座
６    Ｌ型接着式倒壊防止金物
７    ワイヤー連結型接着式倒壊防止金物
８    Ｌ型金物
９    ワイヤー連結型金物
１０  吸震材料
１１  ワイヤー
【図１】
0005621997.tif 000002
【図２】
0005621997.tif 000003
【図３】
0005621997.tif 000004
【図４】
0005621997.tif 000005
【図５】
0005621997.tif 000006